(57)【要約】【課題】左右の放音位置互いに異なる２つ以上の位置で安定させることで使い勝手を高める。【解決手段】スピーカ装置ＳＰは、左チャンネルの音声信号に基づき放音する第１のスピーカユニット（左スピーカＳＰＬ）と、右チャンネルの音声信号に基づき放音する第２のスピーカユニット（右スピーカＳＰＲ）とを有する。スピーカ装置ＳＰは、スタンド１０の湾曲部１１ｂの先端１１ｄに、軸支部２０を介して回転自在に保持され、先端１１ｄの軸中心を中心として回転可能である。例えば、ユーザは、手動でスピーカ装置ＳＰを回転させ、自身が使用する姿勢に応じて左右の放音位置を反転させることができる。【選択図】図２
2018023111.tif 000002
【特許請求の範囲】
【請求項１】
左チャンネルの音声信号に基づき放音する第１のスピーカユニットと、右チャンネルの音声信号に基づき放音する第２のスピーカユニットとを少なくとも有するスピーカ装置と、
前記スピーカ装置を支持する支持体と、
前記スピーカ装置に対して異なる聴取位置が取れるように、前記第１のスピーカユニットの位置と前記第２のスピーカユニットの位置とが互いに異なる２つ以上の位置で安定するようにする安定機構と、を有することを特徴とするスピーカシステム。
【請求項２】
前記支持体は、前記スピーカ装置を回転自在に支持し、
ユーザが前記スピーカ装置を回転させることで、前記支持体は、前記第１のスピーカユニットの位置と前記第２のスピーカユニットの位置とが反転した位置で前記スピーカ装置を保持することを特徴とする請求項１に記載のスピーカシステム。
【請求項３】
それぞれ供給される音声信号に基づき放音する第１のスピーカユニット及び第２のスピーカユニットと、
前記第１、第２のスピーカユニットにそれぞれ、左、右チャンネルの音声信号を供給する第１モードと、前記第１、第２のスピーカユニットにそれぞれ、右、左チャンネルの音声信号を供給する第２モードとに、モードを切り替える切り替え手段と、を有することを特徴とするスピーカシステム。
【請求項４】
前記切り替え手段は、ユーザの操作に基づいて前記モードを切り替えることを特徴とする請求項３に記載のスピーカシステム。
【請求項５】
前記スピーカシステムの使用状態を検知する検知手段を有し、
前記切り替え手段は、前記検知手段の検知結果に基づいて前記モードを切り替えることを特徴とする請求項３に記載のスピーカシステム。
【発明の詳細な説明】
【技術分野】
【０００１】
本発明は、左右のチャンネルの音をそれぞれ放音するＬ側、Ｒ側スピーカユニットを有するスピーカシステムに関する。
【背景技術】
【０００２】
従来、スピーカ装置は、一般に、左右のチャンネルの音をそれぞれ放音するＬ側、Ｒ側スピーカユニットを有する。ヘッドホンやイヤホンとは異なり、設置型のスピーカ装置は床面や壁等に設置され、Ｌ側、Ｒ側スピーカユニットの配置は固定的である。聴取者がスピーカ装置に正対している状態では本来の音響を聴取できる。また、従来、指向性を有する音波を出力する面状のスピーカを聴取者の上方に配置し、床面方向に放音させることで、邪魔になりにくくした音響システムが開示されている（特許文献１）。
【先行技術文献】
【特許文献】
【０００３】
【特許文献１】特開２０１６−８２５６８号公報
【発明の概要】
【発明が解決しようとする課題】
【０００４】
しかしながら、一般のスピーカ装置を利用する聴取者が自身の向きを変え、顔がスピーカ装置に正対しない姿勢となると、音響が本来のものとは変わり、違和感が生じる。特に、聴取者の耳がスピーカ装置に近い状態であるときは一層、スピーカ装置に正対しないことによる違和感が大きくなる。これを回避するために、スピーカ装置の設置位置をその都度変えるのは煩雑である。
【０００５】
また、聴取者の利用の態様によっては、スピーカ装置における左右のチャンネルの放音位置が元々の仕様とは逆である方が、都合が良い場合もある。例えば、上記特許文献１の音響システムを利用する聴取者の姿勢が常に決まっている場合が想定される。上記特許文献１で、聴取者が楽器演奏による演奏音を上方のステレオスピーカで聞くような場合に、聴取者は椅子等に座って常に同じ方向を向き、その方向がスピーカの左右の放音位置とは合致しない場合があり得る。このような場合でも、スピーカは固定されているので、使い勝手が良くない。
【０００６】
本発明は上記従来技術の問題を解決するためになされたものであり、その目的は、左右の放音位置を互いに異なる２つ以上の位置で安定させることで使い勝手を高めることができるスピーカシステムを提供することにある。
【課題を解決するための手段】
【０００７】
上記目的を達成するために本発明の請求項１のスピーカシステムは、左チャンネルの音声信号に基づき放音する第１のスピーカユニットと、右チャンネルの音声信号に基づき放音する第２のスピーカユニットとを少なくとも有するスピーカ装置と、前記スピーカ装置を支持する支持体と、前記スピーカ装置に対して異なる聴取位置が取れるように、前記第１のスピーカユニットの位置と前記第２のスピーカユニットの位置とが互いに異なる２つ以上の位置で安定するようにする安定機構と、を有することを特徴とする。
【発明の効果】
【０００８】
本発明によれば、左右の放音位置を互いに異なる２つ以上の位置で安定させることで使い勝手を高めることができる。
【図面の簡単な説明】
【０００９】
【図１】スピーカシステムの斜視図（図（ａ））、側面図（図（ｂ））である。
【図２】スピーカ装置の側面図（図（ａ））、下方から見た図（図（ｂ）〜（ｄ））である。
【図３】スピーカ装置における軸支部周りを下方から見た図である。
【図４】スピーカシステムの制御機構のブロック図である。
【発明を実施するための形態】
【００１０】
以下、図面を参照して本発明の実施の形態を説明する。
【００１１】
図１（ａ）、（ｂ）はそれぞれ、本発明の一実施の形態に係るスピーカシステムの斜視図、側面図である。このスピーカシステム１００は、支持体としてのスタンド１０にスピーカ装置ＳＰが支持されて成る。スタンド１０は、平面視で略半円状の脚部１２と、ポール１１とを有する。脚部１２は床面に当接する。ポール１１は、真直部１１ａ（１１ａ１、１１ａ２）と湾曲部１１ｂとを有し、真直部１１ａの下端部１１ｃが脚部１２に固定されている。湾曲部１１ｂは真直部１１ａの上端に繋がり、側面視で略半円状に湾曲する。湾曲部１１ｂの先端１１ｄにスピーカ装置ＳＰが取り付けられる。
【００１２】
ポール１１の真直部１１ａは、第１真直部１１ａ１と第２真直部１１ａ２の２本の棒状部材が連結されて成る。例えば、第１真直部１１ａ１に対して第２真直部１１ａ２を挿入し、所望の挿入深さで両者を締結具１８で締結することによって、第１真直部１１ａ１に対する第２真直部１１ａ２の固定位置を変えることができる。これにより、真直部１１ａ全体の長さが調整可能になっている。従って、スピーカ装置ＳＰの高さ方向の配置位置を調整できる。ポール１１の例えば第２真直部１１ａ２には、メインユニット１３、装着部１６が配設される。スピーカ装置ＳＰ及び装着部１６は、メインユニット１３に電気的に接続されている。メインユニット１３には、状態検知部１４及び操作部１５が設けられる。
【００１３】
スピーカ装置ＳＰは、左チャンネルの音声信号に基づき放音する第１のスピーカユニット（以下、左スピーカＳＰＬと記す）と、右チャンネルの音声信号に基づき放音する第２のスピーカユニット（以下、右スピーカＳＰＲ）とを有する。なお、スピーカ装置ＳＰは、左スピーカＳＰＬ、右スピーカＳＰＲ以外のスピーカユニットを備える３チャンネル以上の構成としてもよい。スピーカ装置ＳＰは、音楽再生、楽器演奏再生のいずれにも用いることができる。
【００１４】
このスピーカシステム１００の使用態様として次のようなものが想定される。例えば、脚部１２の半円形状の内側に椅子を置き、椅子に座って音楽を聴いたり、自身で楽器を演奏して演奏音を聞いたりする。また、椅子を置かずに脚部１２の半円形状の内側に立って音を聞く態様もある。椅子に座る場合と立つ場合とで、上述のように真直部１１ａの全長を適宜調整することで、スピーカ装置ＳＰを所望の高さへ調整できる。スピーカシステム１００は設置型であり、部屋の隅や壁際に近接させて設置するのに適している。
【００１５】
装着部１６は、楽器、備品、補助具、機器等の装着物を引っ掛けたり保持したりする機能を有する。装着物のなかの備品や補助具には、楽譜載置台、タブレット、楽器掛けホルダ等が含まれる。メインユニット１３には、音声信号を出力する機器、例えば、電子楽器、音楽プレーヤ等を接続できる。メインユニット１３はアンプ機能や信号処理機能を備え、接続された機器から供給される音声信号をスピーカ装置ＳＰで発音させる。接続される電子楽器には、消音機能を有するアコースティック楽器も含まれる。電子音の発生の際にアコースティック音があまり大きく発生しない楽器に特に適している。
【００１６】
スピーカ装置ＳＰは、聴取者の頭部の上方の位置（耳の高さから約１５ｃｍ）に位置させて用いるのが好適である。スピーカ装置ＳＰの発音位置が聴取者の耳に近いことで、小さな発音音量であっても聴取者だけには十分な音量で音を届けることができる。一般に、スピーカの発音軸から耳の位置が外れていると、指向性の鋭い高音域の音は聞き取りにくくなる。しかし、スピーカ装置ＳＰが耳に近いので距離減衰が少なく、指向性のない構成であっても、高音域を含め、指向性のある平面スピーカとほぼ同等の音量を提供できる。従って、外部への音漏れを著しく少なくすることができる。また、聴取者の上方から放音されるので、身体への装着物が不要で邪魔にならず、しかも物体や身体の一部で遮られることもないので、自然な音を聞くことができる。従って、ヘッドホンで聴くよりも自然な聞こえ方が実現される。また、上方からの放音であるので、真横からの放音に比べ、頭部が左右に少し移動しても音質や音量の変化が少なくて済む。
【００１７】
なお、聴取者がスピーカ装置ＳＰの直下に居るとして、聴取者がポール１１の真直部１１ａと正対する姿勢を第１姿勢とし、聴取者がポール１１に背を向ける姿勢を第２姿勢とする。スピーカシステム１００を第１姿勢で利用するときは、ポール１１に対して向かって左側に左スピーカＳＰＬ、右側に右スピーカＳＰＲが位置するのが適切である。例えば、聴取者が装着部１６に装着した楽譜載置台に譜面を置いて楽器演奏する場合等である。一方、スピーカシステム１００を第２姿勢で利用するときは、ポール１１に対して向かって左側に右スピーカＳＰＲ、右側に左スピーカＳＰＬが位置するのが適切である。例えば、ポール１１が聴取者の視界や動作を遮ることがないようにポール１１を背にして着座して演奏や音楽鑑賞をする場合等である。また、スピーカシステム１００を利用する際、第１姿勢、第２姿勢のいずれでもない姿勢となる場合もある。例えばトロンボーンやトランペット等の演奏時には、壁やポール１１に楽器が干渉しないように、少し斜めの姿勢（鉛直方向から見て第１姿勢と第２姿勢との間の姿勢となる、第１姿勢または第２姿勢から少し回転した位置）で演奏する場合、あるいはメインユニットの操作を聴取者の真横で操作できるようにする場合等が想定される。この場合、各スピーカＳＰＬ、ＳＰＲの位置を姿勢に合わせて調整できると都合がよい。そこで本実施の形態では、各スピーカＳＰＬ、ＳＰＲの配置を、左右反転を含めてその間の所望の位置で安定するように調整する機能（安定機構）を設けている。
【００１８】
図２（ａ）は、スピーカ装置ＳＰの側面図である。図２（ｂ）〜（ｄ）は、スピーカ装置ＳＰを下方から見た図である。スピーカ装置ＳＰは、スタンド１０の湾曲部１１ｂの先端１１ｄに、軸支部２０を介して双方向に回転自在に保持される。すなわちスピーカ装置ＳＰは、先端１１ｄの軸中心を中心として回転可能である。軸支部２０が、スピーカ装置ＳＰに対して異なる聴取位置が取れるように、左スピーカＳＰＬの位置と右スピーカＳＰＲの位置とが互いに異なる２つ以上の位置で安定するようにする「安定機構」の主要部となる。
【００１９】
スピーカ装置ＳＰは、図２（ｂ）、（ｄ）で、それぞれ第１姿勢、第２姿勢に対応する回転位置となっている。スピーカ装置ＳＰは、図２（ｃ）では、第１姿勢と第２姿勢との間の姿勢に対応する回転位置となっていて、例えば図２（ｂ）に示す位置から紙面左回り４５°回転した状態を示し、聴取者がポール１１に対して正対する状態から右に４５°斜めを向く姿勢を取るときあるいはポール１１を背にして左に４５°斜めを向く姿勢を取るときに適した状態を示している。なお、聴取者がポール１１に対して正対する状態から左に４５°斜めを向く姿勢を取るとき、あるいはポール１１を背にして右に４５°斜めを向く姿勢を取るときに適した状態とするときには、図２（ｂ）の状態からスピーカＳＰＲが紙面下側４５°（スピーカＳＰＬが紙面上側４５°）の位置を取って安定するようにすればよい。
【００２０】
図３は、スピーカ装置ＳＰにおける軸支部２０周りを下方から見た図であり、見やすくするために一部を断面で示している。軸支部２０はスピーカ装置ＳＰに固定されている。軸支部２０には穴２１が形成されている。先端１１ｄは穴２１に挿通され、且つ穴２１から抜けないように軸支部２０に係合している。穴２１には、円周方向において複数の山部が形成され、山部と山部との間の谷部が凹部２２（２２−１〜２２−９）となっている。一方、先端１１ｄの外周部に１つの突部１７が突出して形成されている。
【００２１】
スピーカ装置ＳＰは、ユーザ（聴取者）が手動で回転させることができる。先端１１ｄの直径は穴２１の内径よりもやや小さい。突部１７がいずれかの凹部２２に係合している状態では、先端１１ｄの回転方向の位置が安定する。スピーカ装置ＳＰを回転させると、先端１１ｄが穴２１に対して相対的に回転し、穴２１の山部を乗り越えると次の凹部２２に嵌って回転位置が安定する。従って、安定保持される回転位置は複数ある。具体的には、突部１７が凹部２２−１と係合している図３に示す状態は、図２（ｂ）に示す状態であり第１姿勢に対応する。図３に示す状態からスピーカ装置ＳＰを図３の反時計方向（図２（ｂ）〜（ｄ）の反時計方向）へ１８０°回転させると、突部１７は凹部２２−９と係合し、図２（ｄ）示す第２姿勢に対応する回転位置となる。回転の途中で突部１７を凹部２２−３に係合させると、図２（ｃ）に示す状態となる。スピーカ装置ＳＰの回転可能な角度範囲は、突部１７が凹部２２−１または凹部２２−９と係合する位置で決まり、ほぼ１８０°に規制される。
【００２２】
なお、図３で例示した機構によれば複数段階で安定保持される箇所があるが、この構成に限るものではない。例えば、突部１７を廃止し、先端１１ｄの外周面と穴２１とを摺接させ、両者の摩擦によりスピーカ装置ＳＰを任意の回転位置で安定させる構成としてもよい。あるいは、任意の回転位置で別途の固定具で先端１１ｄと軸支部２０とを締め付ける等によって位置を安定させる構成でもよい。なお、スピーカ装置ＳＰを回転駆動するモータ等の駆動部を設け、操作部１５での操作に応じた回転位置へスピーカ装置ＳＰを回転駆動するように構成してもよい。
【００２３】
このように、スピーカ装置ＳＰを先端１１ｄに対して物理的に回転させることで、各スピーカＳＰＬ、ＳＰＲの放音位置を変化させることが可能で、使用する姿勢が第１姿勢か第２姿勢かによって放音位置を反転させることも簡単である。
【００２４】
また、本実施の形態ではさらに、スピーカシステム１００は、放音位置を電気的に切り替える機能を備える。これを図４で説明する。
【００２５】
図４は、スピーカシステム１００の制御機構のブロック図である。メインユニット１３には、状態検知部１４及び操作部１５（図１）のほか、制御部３１、信号処理部３２、信号入力部３３が備えられる。信号入力部３３には、電子楽器や音楽プレーヤ等の音声信号出力機器から出力されるステレオの音声信号が入力され、入力された音声信号は信号処理部３２に供給される。信号処理部３２はアンプや信号切り替えの機能も有しており、ステレオ音声信号をスピーカＳＰＬ、ＳＰＲへ出力する。その際、信号処理部３２は、ステレオ音声信号のＬ／Ｒを反転させることができる。ここで、左スピーカＳＰＬ、右スピーカＳＰＲにそれぞれ、左、右チャンネルの音声信号を供給するモードを第１モードとし、左スピーカＳＰＬ、右スピーカＳＰＲにそれぞれ、右、左チャンネルの音声信号を供給するモードを第２モードとする。信号処理部３２はモードを切り替えることができる。
【００２６】
装着検知部３４は装着部１６（図１）に備えられ、装着部１６に上述の装着物が装着されたことを検知して、検知信号を制御部３１及び信号処理部３２へ供給する。装着検知部３４の構成は問わず、例えば、接触式、導電式等が考えられる。状態検知部１４は、センサやカメラ等を有し、スピーカシステム１００の使用状態を検知する。例えば状態検知部１４は、赤外線、超音波、可視光等を用いた人感センサとして構成され、スピーカ装置ＳＰの１５ｃｍ程度下の領域の物体（人）の存在を検知し、検知信号を制御部３１及び信号処理部３２へ供給する。状態検知部１４が物体を検知しているときは、スピーカ装置ＳＰの直下に聴取者が居て、スピーカシステム１００が使用中であると判断される。
【００２７】
なお、状態検知部１４が備えるカメラで撮影した画像を制御部３１が解析し、スピーカ装置ＳＰの直下に聴取者が居るかどうか、さらには聴取者がどちらの方向を向いているか（第１姿勢か第２姿勢か）を判断するようにしてもよい。このように、状態検知部１４はスピーカシステム１００の使用状態を検知できればよく、その構成は問わない。また、状態検知部１４は複数のセンサを組み合わせて構成してもよい。検知される使用状態は、最低限、スピーカ装置ＳＰが使用中か否かであればよく、より好ましくは、聴取者の姿勢（向き）や位置を検知できるとよい。なお、状態検知部１４からの検知信号に限定されず、装着検知部３４からの検知信号に基づき、スピーカシステム１００の使用状態（どのような楽器または音楽装置が接続されているのか）を制御部３１が判断するようにしてもよい。
【００２８】
操作部１５はユーザによって操作可能である。簡単な構成例としては、操作部１５がアンプにおける信号のＬ／Ｒの切り替え手段として機能し、操作部１５の操作に応じて信号処理部３２はモードを切り替える。一方、検知されたスピーカシステム１００の使用状態の検知結果に基づいて信号処理部３２はモードを切り替えることも可能である。この場合、使用状態によってどのモードに切り替えるのかを予めユーザが設定できるようにしてもよい。そして、例えば、専ら第２姿勢でのみ楽器を演奏するユーザは、演奏時のモードとして第２モードを設定しておく。ユーザが離れた位置でスピーカシステム１００を利用する場合、例えば再生される音楽を遠くで聞く場合は、スピーカ装置ＳＰの下に居ないため、モードは第１モードとなる。一方、ユーザが楽器を演奏するためにスピーカ装置ＳＰの下に移動すると、存在が検知されて、自動的にモードが第２モードに切り替わる。このように、状況に応じて自動的に左右の放音位置が反転するので便利である。なお、ユーザの向きまで検知できるようにした場合は、向きの応じてどのモードを採用するのかを予め設定しておけばよい。
【００２９】
また、装着部１６に、電子楽譜、歌詞、演奏支援画面、動画等を表示させる機器が接続されたことが装着検知部３４により検知されると、ユーザは壁側を向くことが想定されるので、自動的に第１モードが採用されるようにしてもよい。このほか、操作部１５におけるエフェクタの操作がなされたときは、自動的に第１モードが採用されるようにしてもよい。
【００３０】
本実施の形態によれば、スピーカ装置ＳＰが、左スピーカＳＰＬの位置と右スピーカＳＰＲの位置とが反転可能なようにスタンド１０に支持されるので、左右の放音位置を反転可能にする等、互いに異なる２つ以上の位置で安定させることで、使い勝手を高めることができる。特に、スピーカ装置ＳＰを手動で回転させることが可能であるので、簡単な構成で使い勝手がよい。また、任意の回転角度で使用することも可能であるので、楽器の種類に応じた位置に左右の放音位置を設定でき、利便性が高い。さらに、スピーカシステムの使用状態に基づいてモードを切り替えることで、状況に応じて自動的に左右の放音位置を反転可能にすることができ、使い勝手が高まる。
【００３１】
なお、設置型のスピーカ装置において、左スピーカＳＰＬの位置と右スピーカＳＰＲの位置とは、最低限、聴取者が適切に聴取する状態が互い異なる２つの位置で安定した状態が保つことができればよく、回転できる構成は必須でない。例えば、支持体に対して着脱して位置を変えるものとしてもよい。また、左右の放音位置の反転は、手動による構成と信号切り替えによる構成の双方を備えることは必須でなく、いずれか一方のみを備える構成であってもよい。
【００３２】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００３３】
ＳＰ  スピーカ装置、  ＳＰＬ  左スピーカ（第１のスピーカユニット）、  ＳＰＲ  右スピーカ（第２のスピーカユニット）、  １０  スタンド（支持体）、  １４  状態検知部（検知手段）、  ３２  信号処理部（切り替え手段）、  １００  スピーカシステム
【図１】
2018023111.tif 000003
【図２】
2018023111.tif 000004
【図３】
2018023111.tif 000005
【図４】
2018023111.tif 000006